(57)【要約】  【課題】  小型で利便性を備えていると共に、短時間で所定容量の流体を撹拌させることが可能であり、使用後の洗浄も容易な撹拌用回転体及びこの撹拌用回転体を有する撹拌装置を提供する。  【解決手段】  撹拌用回転体１は、円柱状の外周面２ａを備えた中間部２と、この中間部２の一方の端部２ｂに連続して形成され、曲面からなる外周面３ａに複数の溝部４ａ、４ｂが形成された前方撹拌部３と、中間部２の他方の端部２ｃに連続して形成され、複数の撹拌羽根６ａ、６ｂ、６ｃ、６ｄ、６ｅを備えた後方撹拌部５とを有している。【選択図】図１
0003206740.tif 000002
【実用新案登録請求の範囲】
【請求項１】
円柱状の外周面を備えた中間部と、
前記中間部の一方の端部に連続して形成され、曲面からなる外周面に複数の溝部が形成された前方撹拌部と、
前記中間部の他方の端部に連続して形成され、複数の撹拌羽根を備えた後方撹拌部とを有することを特徴とする撹拌用回転体。
【請求項２】
後方撹拌部には、撹拌装置の回転軸に固定される連結部が形成されていることを特徴とする請求項１に記載の撹拌用回転体。
【請求項３】
前方撹拌部の曲面からなる外周面の一部は、球面にて形成されていることを特徴とする請求項１又は２に記載の撹拌用回転体。
【請求項４】
前方撹拌部の複数の溝部は、螺旋状に形成されていることを特徴とする請求項１〜３のいずれか１項に記載の撹拌用回転体。
【請求項５】
請求項１〜４のいずれか１項に記載の撹拌用回転体と、該撹拌用回転体と連結する回転軸と、該回転軸を回転させる駆動装置と、該駆動装置の起動及び停止を行う駆動スイッチと、使用者が把持する握り部とを有することを特徴とする撹拌装置。
【考案の詳細な説明】
【技術分野】
【０００１】
本考案は、液体その他の各種流体を撹拌し、混合、分散等を行うための撹拌用回転体及び撹拌装置に関するものである。
【背景技術】
【０００２】
従来から、液体等の撹拌を行うために様々な撹拌装置が用いられており、この撹拌装置を構成する撹拌用回転体が知られている（特許文献１）。この特許文献１に記載の撹拌用回転体１０の考案は、図６に示すように、回転軸１５方向に垂直な断面の外周形状が円に複数の凸部または凹部を設けた形状に構成される本体１１と、本体１１の表面に設けられる吸入口１２と、本体１１の表面に設けられる吐出口１３と、吸入口１２と吐出口１３を繋ぐ流通路１４とを備えており、吸入口１２は、吐出口１３よりも回転軸１５に近い位置に配置され、吐出口１３は、吸入口１２よりも回転軸１５から遠心方向外側の位置に配置され、矢印で示すように、流体は、吸入口１２から流入して吐出口１３から排出される構造となっている。
【先行技術文献】
【特許文献】
【０００３】
【特許文献１】特許第５２０７４８７号公報
【考案の概要】
【考案が解決しようとする課題】
【０００４】
特許文献１に記載の撹拌用回転体１０は、塗料缶（一斗缶）の内容物取り出し口に挿入可能なほど小型化されており、簡易に使用することができる利便性を備えているものであった。しかしながら、内部に形成された流通路１４が、細長いと共に、屈曲して形成されているので、撹拌される流体が塗料等の粘性を備えた流体である場合には、流通路１４にこびり付くこととなり、使用後に洗浄がし難いという課題を有していた。また、短時間で流体を撹拌させるための改良の余地を残している形状でもあった。
【０００５】
本考案は、上記従来の考案が有する課題を解決するためになされたものであり、小型で利便性を備えていると共に、短時間で所定容量の流体を撹拌させることが可能であり、使用後の洗浄も容易な撹拌用回転体及びこの撹拌用回転体を有する撹拌装置を提供することを目的とする。
【課題を解決するための手段】
【０００６】
請求項１の撹拌用回転体の考案は、円柱状の外周面を備えた中間部と、前記中間部の一方の端部に連続して形成され、曲面からなる外周面に複数の溝部が形成された前方撹拌部と、前記中間部の他方の端部に連続して形成され、複数の撹拌羽根を備えた後方撹拌部とを有することを特徴としている。
【０００７】
したがって、請求項１の撹拌用回転体を流体内に浸漬して撹拌を行う場合には、前方撹拌部と後方撹拌部の各々の位置で流体の撹拌が行われ、複数の循環流が発生することから、短時間で所定容量の流体の撹拌を完了することができる。また、前方撹拌部の溝部は外側から視認することができ、塗料等がこびり付いている場合であっても洗浄して容易に除去することができる。尚、本考案に係る撹拌用回転体は、塗料缶（一斗缶）の内容物取り出し口に挿入可能とするため、外径が４ｃｍ以下で、長手方向の長さが１０ｃｍ以下の形状であることが好ましい。
【０００８】
請求項２の撹拌用回転体の考案は、請求項１の考案において、後方撹拌部には、撹拌装置の回転軸に固定される連結部が形成されていることを特徴としている。例えば、撹拌装置の回転軸の先端部に雄ネジを形成し、連結部を雌ネジで形成することによって、撹拌装置の回転軸からの撹拌用回転体の着脱が容易となる。したがって、撹拌用回転体の洗浄及び交換作業を容易に行うことができる。
【０００９】
請求項３の撹拌用回転体の考案は、請求項１又は２の考案において、前方撹拌部の曲面からなる外周面の一部は、球面にて形成されていることを特徴としている。前方撹拌部の外周面の一部を球面とすることによって、撹拌される流体を収容している容器の壁面等に干渉することが少なくなることから、撹拌作業時に撹拌用回転体が破損するのを防ぐことができる。
【００１０】
請求項４の撹拌用回転体の考案は、請求項１〜３のいずれかに記載の考案において、前方撹拌部の複数の溝部は、螺旋状に形成されていることを特徴としている。前方撹拌部の複数の溝部を螺旋状に形成することによって、撹拌効果を高めることができる。
【００１１】
請求項５の撹拌装置の考案は、請求項１〜４のいずれかに記載の撹拌用回転体と、該撹拌用回転体と連結する回転軸と、該回転軸を回転させる駆動装置と、該駆動装置の起動及び停止を行う駆動スイッチと、使用者が把持する握り部とを有することを特徴としている。
【００１２】
したがって、短時間で所定容量の流体の撹拌を完了することができ、撹拌用回転体の洗浄を容易に行うことができ、撹拌効果を高めることができる撹拌装置を提供することができる。
【考案の効果】
【００１３】
請求項１の撹拌用回転体の考案は、短時間で所定容量の流体の撹拌を完了することができると共に、塗料等がこびり付いている場合であっても洗浄して容易に除去することができる。また、請求項２の撹拌用回転体の考案は、撹拌装置の回転軸からの撹拌用回転体の着脱が容易となり、撹拌用回転体の洗浄を容易に行うことができる。
【００１４】
請求項３の撹拌用回転体の考案は、撹拌される流体を収容している容器の壁面等との干渉を減少させ、撹拌作業時に撹拌用回転体が破損するのを防ぐことができる。また、請求項４の撹拌用回転体の考案は、撹拌効果を高めることができる。さらに、請求項５の撹拌装置の考案は、短時間で所定容量の流体の撹拌を完了することができ、撹拌用回転体の洗浄を容易に行うことができ、撹拌効果を高めることができる。
【図面の簡単な説明】
【００１５】
【図１】本考案に係る撹拌用回転体の斜視図である。
【図２】本考案に係る撹拌用回転体の正面図である。
【図３】本考案に係る撹拌用回転体の底面図である。
【図４】本考案に係る撹拌用回転体の平面図である。
【図５】本考案に係る撹拌装置の斜視図である。
【図６】従来の撹拌用回転体を示す断面図である。
【考案を実施するための形態】
【００１６】
次に、本考案の実施形態を図面に基づいて説明する。図１は、本考案に係る撹拌用回転体の斜視図であり、図２は、同正面図、図３は、同底面図、図４は、同平面図である。これらの図を用いて本考案に係る撹拌用回転体について以下に説明する。
【００１７】
本考案に係る撹拌用回転体１は、円柱状の外周面２ａを備えた中間部２と、この中間部２の一方の端部２ｂに連続して形成され、曲面からなる外周面３ａに複数の溝部４ａ、４ｂ、４ｃが形成された前方撹拌部３と、中間部２の他方の端部２ｃに連続して形成され、複数の撹拌羽根６ａ、６ｂ、６ｃ、６ｄ、６ｅを備えた後方撹拌部５とを有している。
【００１８】
そして、前方撹拌部３の曲面からなる外周面３ａの一部は、球面にて形成されている。したがって、撹拌される流体を収容している容器の壁面等に干渉することが少なくなることから、撹拌作業時に撹拌用回転体が破損するのを防ぐことができる。また、前方撹拌部３の複数の溝部４ａ、４ｂ、４ｃは、螺旋状に形成されている。そして、溝部４ａ、４ｂ、４ｃの表面積の合計は、溝部が形成されていない前方撹拌部３の外周面３ａの表面積の合計に対して１．５倍以上となるように形成されている。このように、表面積の大きな溝部４ａ、４ｂ、４ｃを螺旋状に形成することによって、流体への撹拌効果を高めることができる。
【００１９】
また、図４に示すように、後方撹拌部５の中央には、後述する撹拌装置の回転軸に固定される中空円筒状の連結部７が形成されている。この連結部７は、中空部の内周面に雌ネジが形成されてなるものであり、撹拌装置の回転軸の先端部に形成されている雄ネジと螺合して固定される構成としている。したがって、撹拌装置の回転軸からの撹拌用回転体１の着脱が容易となり、撹拌用回転体１の洗浄及び交換作業を容易に行うことができる。
【００２０】
また、図４に示すように、後方撹拌部５に形成されている複数の撹拌羽根６ａ、６ｂ、６ｃ、６ｄ、６ｅは、中空円筒状の連結部７の端部外周面から螺旋状に中間部２の他方の端部２ｃまで延出している。そして、撹拌羽根６ａ、６ｂ、６ｃ、６ｄ、６ｅの回転時の平面方向から視た回転外径は、中間部２の外周面２ａよりも外側には突出しないように形成されている。これにより、撹拌される流体を収容している容器の壁面等に干渉することが少なくなることから、撹拌作業時に、撹拌羽根６ａ、６ｂ、６ｃ、６ｄ、６ｅが破損するのを防ぐことができる。
【００２１】
撹拌用回転体１の材質は、特に限定されるものではなく、例えば金属やセラミックス、樹脂、ゴム、木材等、使用条件に応じた適宜の材質を採用することができる。本考案に係る撹拌用回転体１は、加工が容易な形状となっていることから、所定径を有する中実の金属棒を所定長さに切断して、切削加工を行うことにより、容易に製作することができる。尚、撹拌用回転体１は、塗料缶（一斗缶）の内容物取り出し口に挿入可能とするため、外径が４ｃｍ以下で、長手方向の長さが１０ｃｍ以下の形状であることが好ましい。
【００２２】
上述のように撹拌用回転体１は形成されているので、撹拌用回転体１を流体内に浸漬して撹拌を行う場合には、前方撹拌部３と後方撹拌部５の各々の位置で流体の撹拌が行われ、複数の循環流が発生することから、短時間で所定容量の流体の撹拌を完了することができる。また、前方撹拌部３の溝部４ａ、４ｂ、４ｃは外側から視認することができ、塗料等がこびり付いている場合であっても洗浄して容易に除去することができる。
【００２３】
図５は、本考案に係る撹拌装置の斜視図である。図５を用いて本考案に係る撹拌装置を以下に説明する。
【００２４】
撹拌装置８は、上述した撹拌用回転体１と、この撹拌用回転体１と連結する回転軸９と、この回転軸を回転させる駆動装置１６と、この駆動装置１６の起動及び停止を行う駆動スイッチ１７と、使用者が把持する握り部１８ａ、１８ｂとを有している。駆動装置１６には、エアーモーターが内蔵されており、このエアーモーターに外部エアー供給源からエアーパイプ１９を介してエアー（空気）が供給され、エアーモーターを回転させる構成としている。尚、駆動装置１６に内蔵されているエアーモーターを、電動回転モーターに替え、外部電源から電気コードを介して電力を供給し、電動回転モーターを回転させる構成とすることもできる。さらに、外部電源を、バッテリー等の内部電源に替え、該内部電源を撹拌装置８に組み込む構成とすることも可能である。
【００２５】
撹拌用回転体１と回転軸９との結合は、前述したとおり、撹拌用回転体１の連結部７の中空部の内周面に形成されている雌ネジと、撹拌装置８の回転軸９の先端部に形成されている雄ネジと螺合して固定される構成としている。したがって、撹拌装置８の回転軸９からの撹拌用回転体１の着脱が容易となり、撹拌用回転体１の洗浄及び交換作業を容易に行うことができる。
【産業上の利用可能性】
【００２６】
本考案の撹拌用回転体及び撹拌装置は、液体その他の各種流体を撹拌し、混合、分散等を行うために使用される。
【符号の説明】
【００２７】
１、１０  撹拌用回転体
２  中間部
２ａ、３ａ  外周面
２ｂ、２ｃ  端部
３  前方撹拌部
４ａ、４ｂ、４ｃ  溝部
５  後方撹拌部
６ａ、６ｂ、６ｃ、６ｄ、６ｅ  撹拌羽根
７  連結部
８  撹拌装置
９  回転軸
１１  本体
１２  吸入口
１３  吐出口
１４  流通路
１５  回転軸
１６  駆動装置
１７  駆動スイッチ
１８ａ、１８ｂ  握り部
１９  エアーパイプ
【図１】
0003206740.tif 000003
【図２】
0003206740.tif 000004
【図３】
0003206740.tif 000005
【図４】
0003206740.tif 000006
【図５】
0003206740.tif 000007
【図６】
0003206740.tif 000008